(57)【特許請求の範囲】
【請求項１】
本体と、前記本体の辺縁から延在し且つ前記本体を囲むフレームと、を備える電子デバイス用保護カバーにおいて、
前記本体には、少なくとも１つの湾曲構造が形成され、各湾曲構造は、可撓性の折り目と、可撓性の折り目の両端に対称的に形成され且つそれぞれ前記可撓性の折り目の両端から前記フレームの辺縁まで延在されたスリットと、を備え、これにより、前記電子デバイス用保護カバーは、前記可撓性の折り目及び前記スリットによって第一カバー及び第二カバーに形成され、前記第一カバーには、前記スリットに向かって凹部が設けられ、前記第二カバーには、前記スリットに向かって突出する当接部が設けられ、前記凹部と前記当接部との間に前記スリットが略Ｌ字状を呈するように形成されており、前記第二カバーは、前記第二カバーと前記第一カバーとの間に一定の角度を形成するように、前記可撓性の折り目を軸として外側に回転させることにより、前記電子デバイス用保護カバーは、電子デバイスを立たせるように電子デバイスを支持し、前記第二カバーが外側に回転される場合に、前記当接部は、電子デバイスに当接することができることを特徴とする電子デバイス用保護カバー。
【請求項２】
前記可撓性の折り目は、前記本体の内表面に形成され且つその断面がアーク状を呈する溝であることを特徴とする請求項１に記載の電子デバイス用保護カバー。
【請求項３】
前記湾曲構造の数は１つ又は複数であり、該１つ又は複数の湾曲構造は、前記電子デバイス用保護カバーの長手方向に対して斜め方向又は平行に或いは短手方向に対して斜め方向又は平行に１つ又は複数の方向に設けられることを特徴とする請求項２に記載の電子デバイス用保護カバー。
【発明の詳細な説明】
【技術分野】
【０００１】
本発明は、電子デバイス用保護カバーに関し、特に保護機能及び支持機能を同時に実現することができる電子デバイス用保護カバーに関するものである。
【背景技術】
【０００２】
技術の発展に伴い、現在スマートフォン、タブレットＰＣ等の携帯型の電子デバイスが益々普及している。電子デバイスを保護するために、ユーザは、一般的には、電子デバイスに保護カバーを取り付ける。従来の保護カバーは、通常、電子デバイスを保護するために使用されるが、電子デバイスを使用する際に電子デバイスを支持することはできない。
【発明の概要】
【発明が解決しようとする課題】
【０００３】
前記課題を解決するために、本発明は、保護機能及び支持機能を実現することができる電子デバイス用保護カバーを提供する。
【課題を解決するための手段】
【０００４】
本発明に係る電子デバイス用保護カバーは、本体と、本体の辺縁から延在し且つ本体を囲むフレームと、を備える。本体には、少なくとも１つの湾曲構造が形成され、各湾曲構造は、可撓性の折り目と、可撓性の折り目の両端に対称的に形成され且つそれぞれ可撓性の折り目の両端からフレームの辺縁まで延在されたスリットと、を備える。これにより、電子デバイス用保護カバーは、可撓性の折り目及びスリットによって第一カバー及び第二カバーに形成される。第二カバーは、第二カバーと第一カバーとの間に一定の角度を形成するように、可撓性の折り目を軸として外側に回転させることで、電子デバイス用保護カバーは、電子デバイスを立たせるように電子デバイスを支持することができる。
【発明の効果】
【０００５】
従来の技術と比べ、本発明に係る電子デバイス用保護カバーは、保護カバーの機能を実現することができるとともに、電子デバイスの支持ブラケットとしても使用することができるため、ユーザに便利である。
【図面の簡単な説明】
【０００６】
【図１】本発明の実施形態に係る電子デバイス用保護カバーの立体斜視図である。
【図２】図１に示した電子デバイス用保護カバーを別の視点から見た立体斜視図である。
【図３】図１に示した電子デバイス用保護カバーの湾曲状態を示す図である。
【図４】図１に示した電子デバイス用保護カバーの使用状態を示す図である。
【図５】本発明の他の実施形態に係る電子デバイス用保護カバーの背面図である。
【図６】本発明の他の実施形態に係る電子デバイス用保護カバーの背面図である。
【図７】本発明の他の実施形態に係る電子デバイス用保護カバーの背面図である。
【図８】本発明の他の実施形態に係る電子デバイス用保護カバーの背面図である。
【図９】本発明の他の実施形態に係る電子デバイス用保護カバーの背面図である。
【図１０】本発明の他の実施形態に係る電子デバイス用保護カバーの背面図である。
【図１１】本発明の他の実施形態に係る電子デバイス用保護カバーの背面図である。
【発明を実施するための形態】
【０００７】
以下、図面を参照して、本発明の実施形態について説明する。
【０００８】
図１及び図２を参照すると、本発明の実施形態に係る電子デバイス用保護カバー１００は、本体２１と、本体２１の辺縁から垂直に延在し且つ本体２１を囲んでいるフレーム２２と、を備える。本実施形態において、フレーム２２は、電子デバイス２００（図４を参照）の辺縁を覆うために用いられる。
【０００９】
本体２１には、少なくとも１つの湾曲構造３０が形成され、この湾曲構造３０は、可撓性の折り目３３と、可撓性の折り目３３の両端に対称的に形成され且つそれぞれ可撓性の折り目３３の両端からフレーム２２の辺縁まで延在されたスリット３４と、を備える。これにより、電子デバイス用保護カバー１００は、可撓性の折り目３３及びスリット３４によって第一カバー３１及び第二カバー３２に分けられる。本実施形態において、可撓性の折り目３３は、本体２１の内表面に形成され且つその断面がアーク状を呈する溝である。スリット３４は、略「Ｌ」字状を呈する。他の実施形態において、スリット３４の形状は、弧状、のこぎり歯状或いは波状等の形状であっても良い。本実施形態において、可撓性の折り目３３は、熱可塑性ポリウレタン（ＴＰＵ）等の可撓性材料によって作られている。
【００１０】
図３を参照すると、電子デバイス用保護カバー１００を使用する際は、第二カバー３２と第一カバー３１との間に一定の角度が形成されるように、可撓性の折り目３３を軸として第二カバー３２を外側に回転させることができる。これにより、電子デバイス用保護カバー１００を立てることができるため、電子デバイス用保護カバー１００内に設置された電子デバイス２００（図４を参照）を支持することができる。本実施形態において、第二カバー３２の可撓性の折り目３３の両端に近い箇所には、それぞれ当接部３２１が形成されている。第二カバー３２が外側に回転される場合、当接部３２１は、電子デバイス２００に当接し、第二カバー３２における可撓性の折り目３３から離れる辺縁は、デスクトップ等の支持面に当接される。これにより、第二カバー３２は、第一カバー３１及び第一カバー３１に設置された電子デバイス２００を支持することができる。
【００１１】
本実施形態において、湾曲構造３０の数は１つであり、且つ電子デバイス用保護カバー１００の長手方向に対して斜めに設けられる。図５及び図６に示すように、他の実施形態において、湾曲構造３０は、電子デバイス用保護カバー１００の短手方向又は長手方向に平行に設けられても良い。また、図７〜図１１に示すように、他の実施形態において、湾曲構造３０の数は複数であり、この複数の湾曲構造３０は、電子デバイス用保護カバー１００の長手方向に対して斜め方向、或いは平行に又は電子デバイス用保護カバー１００の短手方向に平行に設けられても良い。これにより、電子デバイス２００を横方向又は縦方向等の異なる方向に支持することができる。
【００１２】
図８に示すように、湾曲構造３０の数は複数であり、ユーザは、必要に応じて何れか１つの可撓性の折り目３３を湾曲することによって、電子デバイス２００を支持面に立てられる角度に調整することができる。また図１０に示すように、湾曲構造３０は、本体２１の四隅に形成して、電子デバイス２００を一定の角度に支持してもよい。
【００１３】
本発明の電子デバイス用保護カバー１００は、保護カバーの機能を実現することができる一方、電子デバイスの支持ブラケットとしても使用することができる。従って、別の支持ブラケットを携帯する必要がないため便利である。
【符号の説明】
【００１４】
１００  電子デバイス用保護カバー
２１  本体
２２  フレーム
３１  第一カバー
３２  第二カバー
３２１  当接部
３０  湾曲構造
３３  可撓性の折り目
３４  スリット
２００  電子デバイス
【図１】
0006389413.tif 000002
【図２】
0006389413.tif 000003
【図３】
0006389413.tif 000004
【図４】
0006389413.tif 000005
【図５】
0006389413.tif 000006
【図６】
0006389413.tif 000007
【図７】
0006389413.tif 000008
【図８】
0006389413.tif 000009
【図９】
0006389413.tif 000010
【図１０】
0006389413.tif 000011
【図１１】
0006389413.tif 000012